(57)【特許請求の範囲】
【請求項１】
係止片を有する地中構造物の枠体とこの枠体に開閉可能に取付けられた鍵孔を有する蓋体とを備え、前記蓋体の裏面にロック部材を揺動可能に軸支し、このロック部材の上部に前記鍵孔を覆う弁体が設置されているとともに前記ロック部材の下部に前記係止片に掛け止めされる係止フックが設置され、前記弁体が前記鍵孔を塞いだ状態のときに前記係止フックは前記係止片に掛け止めされ、且つ、前記ロック部材に、上方および前記枠体側に開放された凹部が形成されているとともにこの凹部に前記弁体が遊嵌された状態で載置されている地中構造物の蓋用ロック装置において、前記凹部を構成するＵ字取付片部に、前記弁体が前記凹部から抜け落ちるのを防止するための抜け止め部材を、前記凹部の前側開放部に位置する状態で設置したことを特徴とする地中構造物の蓋用ロック装置。
【請求項２】
請求項１の地中構造物の蓋用ロック装置において、前記凹部を構成するＵ字取付片部の外側面に係止ピンを突設し、且つ、前記抜け止め部材をコ字状に形成するとともにその両端垂直部を前記Ｕ字取付片部の外側面にビス止めし、且つ、この両端垂直部に切り欠きを設けるとともにこの切り欠きに前記係止ピンが掛け止めされていることを特徴とする地中構造物の蓋用ロック装置。
【発明の詳細な説明】
【０００１】
【発明の属する技術分野】
この発明は地中構造物の蓋用ロック装置に関し、例えば、マンホールに使用されるものである。
【０００２】
【従来の技術】
従来におけるマンホール用蓋体は、図４に示すように、当該蓋体20の裏面にロック部材90を揺動可能に軸支し、バランスウェイト37の重力およびスプリング52等の弾力によって、このロック部材90の弁体91が蓋体20の鍵孔21を塞いだ状態のときにその係止フック92が、マンホール用枠体10の係止片11に掛け止めされ、前記バランスウェイト37の重力およびスプリング52等の弾力に抗して前記鍵孔21側から前記弁体91を押し込むことによってこのロック部材90の係止フック92を前記係止片11から開放するようにしていた。
【０００３】
【発明が解決しようとする課題】
しかしながら、かかる従来のマンホール用蓋体20にあっては、前記弁体91が前記ロック部材90に一体的に成形されていたため、前記ロック部材90を、前記弁体91を鍵孔21にピッタリ嵌挿させた状態で蓋体20の裏面に固定しにくいとともに固定後においても前記弁体91が鍵孔21に戻る際（鍵孔を塞ぐ際）に前記枠体10との間で石コロ等を噛んで戻りにくいという不都合を有した。
【０００４】
この発明の課題は前記不都合を解消することである。
【０００５】
【課題を解決するための手段】
この課題を達成するために、この発明に係る地中構造物の蓋用ロック装置においては、係止片を有する地中構造物の枠体とこの枠体に開閉可能に取付けられた鍵孔を有する蓋体とを備え、前記蓋体の裏面にロック部材を揺動可能に軸支し、このロック部材の上部に前記鍵孔を覆う弁体が設置されているとともに前記ロック部材の下部に前記係止片に掛け止めされる係止フックが設置され、前記弁体が前記鍵孔を塞いだ状態のときに前記係止フックは前記係止片に掛け止めされ、且つ、前記ロック部材に、上方および前記枠体側に開放された凹部が形成されているとともにこの凹部に前記弁体が遊嵌された状態で載置されている地中構造物の蓋用ロック装置において、前記凹部を構成するＵ字取付片部に、前記弁体が前記凹部から抜け落ちるのを防止するための抜け止め部材を、前記凹部の前側開放部に位置する状態で設置されているため、
前記弁体と前記ロック部材との間に隙間、即ち、ガタツキが介在している結果、前記弁体はその隙間の分だけ、前記ロック部材から独立して移動することができるとともに、前記抜け止め部材が前記凹部の前側開放部に位置する状態で設置されているため、前記弁体を前記ロック部材に安定した状態で設置することができる。
【０００７】
また、前記凹部を構成するＵ字取付片部の外側面に係止ピンを突設し、且つ、前記抜け止め部材をコ字状に形成するとともにその両端垂直部を前記Ｕ字取付片部の外側面にビス止めし、且つ、この両端垂直部に切り欠きを設けるとともにこの切り欠きに前記係止ピンを掛け止めすれば、前記抜け止め部材の揺動を防止できるため、前記弁体を前記ロック部材に、より一層安定した安定した状態で設置することができる。
【０００８】
【発明の実施の形態】
図１はこの発明に係る地中構造物の蓋用ロック装置の断面図、図２は図１におけるロック部材のII矢視図、図３は弁体が開放した状態の図１に相当する図である。
【０００９】
図１〜図３において、10はマンホール（この発明の「地中構造物」に相当する）Ｍの筒状の枠体、20は同蓋体である。いずれも鋳造によって製造される。この蓋体20は蝶番手段（図示せず）を介して前記筒状の枠体10に揺動可能に設置されている。11は係止片であり、前記枠体10の内壁面の下方に設置されている。この係止片11の機能は後記する。なお、１はこのマンホールＭの蓋用ロック装置である。
【００１０】
また、21は鍵孔であり、前記蓋体20の端縁に形成されている。この鍵孔21は前記蓋体20の周縁に開放しており、その機能は後記する。
【００１１】
22,22 は軸受であり、前記蓋体20の裏面に所定空間を介して一体的に突設されている。この軸受22,22 は下方に延び、その内壁面に係止溝23,23 を有している。
【００１２】
30はロック部材であり、Ｕ字取付片部31とこのＵ字取付片部31の下部に一体形成されたロック部材主要部32とから構成されている。また、33,33 は回動軸であり、前記ロック部材30における前記Ｕ字取付片部31の上端部において外側に突設されている。この回動軸33,33 を前記軸受22,22 の係止溝23,23 に嵌挿することによって、前記ロック部材30は前記蓋体20に揺動可能に軸支される。なお、51,51 はボルト及びナットであり、前記軸受22,22 における係止溝23,23 の開放端部に嵌挿された状態で設置され、前記ロック部材30の回動軸33,33 が係止溝23,23 から抜け落ちるのを防止している。
【００１３】
34は凹部であり、前記ロック部材30における前記Ｕ字取付片部31の真ん中に形成されている。この凹部34は上方および枠体10側に開放している。また、35は連結片であり、前記凹部34の背面側に水平状に一体成形されている。前記凹部34およびこの連結片35の機能は後記する。
【００１４】
36は係止フックであり、前記ロック部材主要部32に一体形成されている。この係止フック36は前記枠体10の係止片11に係止して前記蓋体20の閉止状態をロックするためのものである。また、37は車輪であり、前記ロック部材主要部32の下方にピン38,38 止めされている。
【００１５】
52はスプリングであり、その両端は前記蓋体20の裏面に掛け止めされているとともに他端である中央部のＵ字端は前記ロック部材30における前記ロック部材主要部32の背面に掛け止めされ、その弾性力によって前記係止フック36を前記枠体10の係止片11に掛け止めされる方向に付勢している。
【００１６】
次に、60は弁体であり、支持部61と弁部62とが略Ｌ字状に一体的に連設されている。そして、前記支持部61を前記Ｕ字取付片部31の凹部34に遊嵌させることによって前記ロック部材30に取り付けられている。55はコ字状の抜け止め部材であり、前記Ｕ字取付片部31にビス56,56 止めされている。この抜け止め部材55は前記凹部34の前側開放部を覆っている。このため、前記弁体60の抜け落ちが防止される。また、57,57 は係止ピンであり、前記Ｕ字取付片部31の外側面に突設されている。この係止ピン57,57 は前記抜け止め部材55の垂直部551,551 における切り欠き58,58 に掛け止めされ、この抜け止め部材55のずれを防止している。
【００１７】
70はパッキンであり、前記弁体60における弁部62の上面に押さえ板71を介してボルト及びナット72で止めている。前記係止フック36が前記枠体10の係止片11に係止したときに、この弁部62はパッキン70を介して、前記蓋体20の鍵孔21に押さえ付けられ、閉止する。
【００１８】
この蓋体20を開ける場合には、図３に示すように、かぎ棒（図示せず）を鍵孔21から侵入させて弁体60の弁部62を、前記スプリング52の弾力に抗して押し込み、前記ロック部材30の係止フック36を前記係止片11から開放し、前記かぎ棒を前記鍵孔21に掛けて上方に引き上がればよい。
【００１９】
【発明の効果】
この発明に係る地中構造物の蓋用ロック装置は、係止片を有する地中構造物の枠体とこの枠体に開閉可能に取付けられた鍵孔を有する蓋体とを備え、前記蓋体の裏面にロック部材を揺動可能に軸支し、このロック部材の上部に前記鍵孔を覆う弁体が設置されているとともに前記ロック部材の下部に前記係止片に掛け止めされる係止フックが設置され、前記弁体が前記鍵孔を塞いだ状態のときに前記係止フックは前記係止片に掛け止めされ、且つ、前記ロック部材に、上方および前記枠体側に開放された凹部が形成されているとともにこの凹部に前記弁体が遊嵌された状態で載置されている地中構造物の蓋用ロック装置において、前記凹部を構成するＵ字取付片部に、前記弁体が前記凹部から抜け落ちるのを防止するための抜け止め部材を、前記凹部の前側開放部に位置する状態で設置されているため、
前記弁体と前記ロック部材との間に隙間、即ち、ガタツキが介在している結果、前記弁体はその隙間の分だけ、前記ロック部材から独立して移動することができるとともに、前記抜け止め部材が前記凹部の前側開放部に位置する状態で設置されているため、前記弁体を前記ロック部材に安定した状態で設置することができる。
【００２０】
よって、この地中構造物の蓋用ロック装置を使用すれば、前記弁体を前記ロック部材に安定した状態で設置することができるとともにこのロック部材を、その弁体が鍵孔にピッタリ嵌挿した状態で、蓋体の裏面に固定しやすく、その上、蓋体に固定した後において、弁体が鍵孔に戻る際に枠体との間で石コロ等を噛んでも容易に戻ることができるものである。
【００２１】
【００２２】
また、前記凹部を構成するＵ字取付片部の外側面に係止ピンを突設し、且つ、前記抜け止め部材をコ字状に形成するとともにその両端垂直部を前記Ｕ字取付片部の外側面にビス止めし、且つ、この両端垂直部に切り欠きを設けるとともにこの切り欠きに前記係止ピンを掛け止めすれば、前記抜け止め部材の揺動を防止できるため、前記弁体を前記ロック部材に、より一層安定した安定した状態で設置することができる。
【図面の簡単な説明】
【図１】  この発明に係る地中構造物の蓋用ロック装置の断面図である。
【図２】  図１におけるロック部材のII矢視図である。
【図３】  弁体が開放した状態の図１に相当する図である。
【図４】  従来例の断面図である。
【符号の説明】
Ｍ  …  マンホール（地中構造物）
１  …  蓋用ロック装置
10  …  枠体
11  …  係止片
20  …  蓋体
21  …  鍵孔
30  …  ロック部材
31  …  Ｕ字取付片部
34  …  凹部
36  …  係止フック
55  …  抜け止め部材
551 …  垂直部
57  …  係止ピン
60  …  弁体
【図１】
0004035839.tif 000002
【図２】
0004035839.tif 000003
【図３】
0004035839.tif 000004
【図４】
0004035839.tif 000005